(57)【要約】【課題】開封後に粘着層が露出しないようにした、テープ付き袋を提供する。【解決手段】シート状の第１部材１４と第２部材１２とが開口１１を有する袋状に接合され、第２部材１２は開口１１に沿って延在する舌片部１２ｋを有する。舌片部１２ｋには接着層１６を介して中間テープ１８が接着され、中間テープ１８には粘着層２０を介して剥離テープ２２が粘着されている。剥離テープ２２を剥がし、舌片部１２ｋの粘着層２０を第１部材１４に重ねて貼り付けて封をした後、舌片部１２ｋを剥がして開封する。接着層１６を介して接着された舌片部１２ｋと中間テープ１８とが剥離されるのに必要な力が、粘着層２０を介して粘着された中間テープ１８と第１部材１２とが剥離されるのに必要な力よりも小さくなるように構成する。舌片部１２ｋと中間テープ１８とが分離して開封され、粘着層２０は中間テープ１８で覆われる。【選択図】図２
2008273559.tif 000002
【特許請求の範囲】
【請求項１】
シート状の第１部材と、
前記第１部材に重ねられ、開口を有する袋状に前記第１部材と接合され、前記開口に沿って前記第１部材よりも外側に延在する舌片部を有する、シート状の第２部材と、
前記舌片部の前記第１部材と同じ側の面に形成された接着層と、
前記接着層を介して前記舌片部に接着された中間テープと、
前記中間テープの前記接着層とは反対側の面に形成された粘着層と、
前記粘着層を介して前記中間テープに剥離可能に粘着された剥離テープと、
を備え、
前記剥離テープが除去され、前記舌片部が前記第１部材に重ねられ、前記粘着層が前記第１部材に粘着することにより、封をされた後、前記舌片部が前記第１部材から剥がされて開封され、
前記接着層を介して接着された前記舌片部と前記中間テープとを剥離するのに必要な力が、前記粘着層を介して粘着された前記中間テープと前記第１部材とを剥離するのに必要な力よりも小さくなるように構成され、
開封のため前記舌片部が前記第１部材から剥がされるとき、前記接着層を介して接着された前記舌片部と前記中間テープとが分離し、前記中間テープは前記粘着層を介して前記第１部材に粘着された状態のまま前記第１部材側に残ることを特徴とする、テープ付き袋。
【請求項２】
シート状の第１部材と、
前記第１部材に重ねられ、開口を有する袋状に前記第１部材と接合され、前記開口に沿って前記第１部材よりも外側に延在する舌片部を有する、シート状の第２部材と、
前記第１部材の前記第２部材とは反対側の面に形成された接着層と、
前記接着層を介して前記舌片部に接着された中間テープと、
前記中間テープの前記接着層とは反対側の面に形成された粘着層と、
前記粘着層を介して前記中間テープに剥離可能に粘着された剥離テープと、
を備え、
前記剥離テープが除去され、前記舌片部が前記第１部材に重ねられ、前記粘着層が前記第舌片部に粘着することにより、封をされた後、前記舌片部が前記第１部材から剥されることにより開封され、
前記接着層を介して接着された前記第１部材と前記中間テープとを剥離するのに必要な力が、前記粘着層を介して粘着された前記中間テープと前記舌片部とを剥離するのに必要な力よりも小さくなるように構成され、
開封のため前記舌片部が前記第１部材から剥されるとき、前記接着層を介して接着された前記第１部材と前記中間テープとが分離し、前記中間テープは前記粘着層を介して前記舌片部に粘着された状態のまま前記舌片部ともに移動することを特徴とする、テープ付き袋。
【請求項３】
前記粘着層は、前記接着層よりも、前記開口に対して直角方向により遠い位置まで形成されていることを特徴とする、請求項１又は２に記載のテープ付き袋。
【請求項４】
前記接着層は、文字又は図形を表わすように形成されていることを特徴とする、請求項１、２又は３に記載のテープ付き袋。
【請求項５】
前記接着層と前記舌片部との界面と、前記接着層と前記中間テープとの界面とでは、剥離力が異なることを特徴とする、請求項４に記載のテープ付き袋。
【請求項６】
前記中間テープ又は前記接着層を介して前記中間テープに接着される前記第２部材若しくは前記第１部材のいずれか一方のみがＯＰＰシートであり、前記接着層は前記ＯＰＰシートのパートコートに用いられる感熱性の接着剤を含むことを特徴とする、請求項１ないし５のいずれか一つに記載のテープ付き袋。
【発明の詳細な説明】
【技術分野】
【０００１】
本発明はテープ付き袋に関し、詳しくはフタ付テープ付き袋に関する。
【背景技術】
【０００２】
従来、商品やダイレクトメール、パンフレット等の内容物を入れて簡単に封ができるようにテープを設けたフタ付テープ付き袋が提供されている。
【０００３】
このようなフタ付テープ付き袋は、例えば三方シール袋形状の本体部内に内容物を入れた後、粘着層を覆う剥離テープを剥がして、フタとなる舌片部を折り曲げ、本体部と舌片部とを粘着層を介して貼り付けことによって、封をする（例えば、非特許文献１参照）。
【非特許文献１】「アスクルカタログ２００７春・夏号」、アスクル株式会社、ｐ．３４４−３４５
【発明の開示】
【発明が解決しようとする課題】
【０００４】
しかしながら、ポリプロピレン（ＰＰ）やポリエチレン（ＰＥ）などの樹脂を用いたテープ付き袋など、破りにくいテープ付き袋は、封を開けて内容物を取り出す際に、舌片部を本体部から剥がして開封されることがある。このような場合、舌片部や本体部に粘着層が残り、露出する。このように露出した粘着層は、粘着性があるため、袋から内容物を取り出す際に内容物に粘り付いたり、開封後に指や他の物が粘り付いたりする。また、開封後に再び封をすることができるので、例えば商品の包装に用いる場合には、未開封の新品であることを確実に保証することが難しい。
【０００５】
本発明は、かかる実情に鑑み、開封後に粘着層が露出しないようにした、テープ付き袋を提供しようとするものである。
【課題を解決するための手段】
【０００６】
本発明は、上記課題を解決するために、以下のように構成したテープ付き袋を提供する。
【０００７】
テープ付き袋は、（ａ）シート状の第１部材と、（ｂ）前記第１部材に重ねられ、開口を有する袋状に前記第１部材と接合され、前記開口に沿って前記第１部材よりも外側に延在する舌片部を有する、シート状の第２部材と、（ｃ）前記舌片部の前記第１部材と同じ側の面に形成された接着層と、（ｄ）前記接着層を介して前記舌片部に接着された中間テープと、（ｅ）前記中間テープの前記接着層とは反対側の面に形成された粘着層と、（ｆ）前記粘着層を介して前記中間テープに剥離可能に粘着された剥離テープと、を備える。テープ付き袋は、前記剥離テープが除去され、前記舌片部が前記第１部材に重ねられ、前記粘着層が前記第１部材に粘着することにより、封をされた後、前記舌片部が前記第１部材から剥されることにより開封される。前記接着層を介して接着された前記舌片部と前記中間テープとを剥離するのに必要な力が、前記粘着層を介して粘着された前記中間テープと前記第１部材とを剥離するのに必要な力よりも小さくなるように構成されている。開封のため前記舌片部が前記第１部材から剥されるとき、前記接着層を介して接着された前記舌片部と前記中間テープとが分離し、前記中間テープは前記粘着層を介して前記第１部材に粘着された状態のまま前記第１部材側に残る。
【０００８】
上記構成において、接着層を介して接着された舌片部と中間テープとを剥離するのに必要な力が、粘着層を介して粘着された中間テープと第１部材とを剥離するのに必要な力よりも小さいため、開封時には、舌片部と中間テープとの接着が剥がれ、粘着層を介して第１部材に粘着された中間テープは、第１部材との粘着状態が保持される。
【０００９】
上記構成によれば、開封後において、粘着層が中間テープで覆われ、粘着層が外部に露出しないようにすることができる。一方、接着層は、開封後に外部に露出するが、粘着性を有しないため、開封後に指や他の物が粘り付くことはない。また、開封後に再び封をすることもできない。
【００１０】
また、本発明は、上記課題を解決するために、以下のように構成したテープ付き袋を提供する。
【００１１】
テープ付き袋は、（ａ）シート状の第１部材と、）ｂ）前記第１部材に重ねられ、開口を有する袋状に前記第１部材と接合され、前記開口に沿って前記第１部材よりも外側に延在する舌片部を有する、シート状の第２部材と、（ｃ）前記第１部材の前記第２部材とは反対側の面に形成された接着層と、（ｄ）前記接着層を介して前記舌片部に接着された中間テープと、（ｅ）前記中間テープの前記接着層とは反対側の面に形成された粘着層と、（ｆ）前記粘着層を介して前記中間テープに剥離可能に粘着された剥離テープとを備える。テープ付き袋は、前記剥離テープが除去され、前記舌片部が前記第１部材に重ねられ、前記粘着層が前記第舌片部に粘着することにより、封をされた後、前記舌片部が前記第１部材から剥されることにより開封される。前記接着層を介して接着された前記第１部材と前記中間テープとを剥離するのに必要な力が、前記粘着層を介して粘着された前記中間テープと前記舌片部とを剥離するのに必要な力よりも小さくなるように構成されている。開封のため前記舌片部が前記第１部材から剥されるとき、前記接着層を介して接着された前記第１部材と前記中間テープとが分離し、前記中間テープは前記粘着層を介して前記舌片部に粘着された状態のまま前記舌片部ともに移動する。
【００１２】
上記構成において、接着層を介して接着された第１部材と中間テープとを剥離するのに必要な力が、粘着層を介して粘着された中間テープと舌片部とを剥離するのに必要な力よりも小さいため、開封時には、第１部材と中間テープとの接着が剥がれ、粘着層を介して舌片部に粘着された中間テープは、舌片部との粘着状態が保持される。
【００１３】
上記構成によれば、開封後において、粘着層が中間テープで覆われ、粘着層が外部に露出しないようにすることができる。一方、接着層は、開封後に外部に露出するが、粘着性を有しないため、開封後に指や他の物が粘り付くことはない。また、開封後に再び封をすることもできない。
【００１４】
上記各テープ付き袋は、具体的には、以下のように種々の態様で構成することができる。
【００１５】
好ましくは、前記粘着層は、前記接着層よりも、前記開口に対して直角方向により遠い位置まで形成されている。
【００１６】
この場合、開封時に舌片部の先端側を剥がす際に、粘着層の方が接着層よりも舌片部の先端側に位置するため、粘着層側よりも接着層側において剥離が生じやすくなる。そのため、より確実に、粘着層が露出しないようにすることができる。
【００１７】
好ましくは、前記接着層は、文字又は図形を表わすように形成されている。
【００１８】
この場合、開封後に外部に露出する接着層によって、文字又は図形が現れるようにすることができる。接着層により文字又は図形の境界の内側、すなわち文字又は図形そのものが形成されても、文字又は図形の外側、すなわち、反転された文字又は図形が形成されてもよい。
【００１９】
好ましくは、前記接着層と前記舌片部との界面と、前記接着層と前記中間テープとの界面とでは、剥離力が異なる。
【００２０】
この場合、開封したときに、接着層と前記舌片部との界面、又は接着層と中間テープとの界面のいずれか一方のみで剥離し、接着層の全部が中間テープ又は舌片部のいずれか一方のみに接着された状態となり、接着層によって文字又は図形が完全な状態で現れるようにすることができる。
【００２１】
好ましくは、前記中間テープ又は前記接着層を介して前記中間テープに接着される前記第２部材若しくは前記第１部材のいずれか一方のみがＯＰＰ（二軸延伸ポリプロピレン）シートであり、前記接着層は前記ＯＰＰシートのパートコートに用いられる感熱性の接着剤を含む。
【００２２】
パートコートは、食品用袋等において、熱接着が難しいＯＰＰシート同士の接着に用いられている。接着層により接着される中間テープ又は第２部材若しくは第１部材のいずれか一方にＯＰＰシートを用い、他方にＯＰＰシート以外（例えば、ＰＥＴ）を用いた場合、接着層は、一方のＯＰＰシートとは接着力が相対的に強く、他方のＯＰＰシート以外とは接着力が相対的に弱くなり、両者の間に介在する接着層が、開封後に一方のＯＰＰシート側に確実に残るようにすることができる。
【００２３】
接着層は、ＯＰＰシートのパートコートと同様の手法で容易に形成することができるので、本発明のテープ付き袋の製造が容易である。また、開封後に、接着層が完全にＯＰＰシート側に残るので、接着層によって文字や図形が現れるようにする場合にも好適である。さらに、接着層のみならず、インクを用いて文字や図形の印刷を行うことも容易である。
【発明の効果】
【００２４】
本発明によれば、開封後に粘着層が露出しない。そのため、開封後に指や他の物が粘り付くことはない。また、開封後に再び封をすることもできない。
【発明を実施するための最良の形態】
【００２５】
以下、本発明の実施の形態として実施例を、図１〜図５を参照しながら説明する。
【００２６】
＜実施例１＞  実施例１のテープ付き袋１０について、図１〜図３を参照しながら説明する。
【００２７】
まず、図１を参照しながら、テープ付き袋１０の構成について説明する。図１（ａ）は、テープ付き袋１０の平面図である。図１（ｂ）は、図１（ａ）の線Ｂ−Ｂに沿って切断した断面図である。図１（ｃ）は、図１（ｂ）の要部拡大断面図である。
【００２８】
図１（ａ）及び（ｂ）に示すように、テープ付き袋１０は、１枚のシートを、図において下部シート１２が上部シート１４よりも大きくなりように、折り曲げ辺１３で折り曲げて重ね合わせ、上部シート１４と下部シート１２の側辺１４ａ，１４ｂ；１２ａ，１２ｂ同士を接合して袋状に構成したものであり、上部シート１４の先端側の辺１４ｘに沿って開口１１が形成されている。下部シート１２は、上部シート１４よりも外側に広がっている舌片部１２ｋを有する。舌片部１２ｋを折り曲げて上部シート１４に重ねると、開口１１を覆うことができる。
【００２９】
舌片部１２ｋの上部シート１４と同じ側の面には、接着層１６を介して中間テープ１８が接着され、中間テープ１８の上には粘着層２０を介して剥離テープ２２が剥離可能に粘着されている。
【００３０】
次に、袋１０の使用方法について、図２の断面図を参照しながら説明する。
【００３１】
まず、袋１０の開口１１から、袋の内部１５に、必要に応じて商品やパンフレット等の内容物を入れた後、図２（ａ）に示すように粘着層２０に粘着されている剥離テープ２２を剥がし、図２（ｂ）に示すように粘着層２０を露出させる。
【００３２】
次いで、舌片部１２ｋを開口１１付近で折り曲げ、図２（ｃ）に示すように、舌片部１２ｋを上部シート１４の上に重ね、粘着層２０を上部シート１４に粘着させることによって、封をする。すなわち、開口１１が舌片部１２ｋで覆われた状態が保持される。
【００３３】
開封するときには、図２（ｃ）において矢印で示すように、舌片部１２ｋの先端１２ｘ側を持ち上げ、舌片部１２ｋを上部シート１４から剥がし、開口１１を露出させる。
【００３４】
このとき、接着層１６を介して接着された舌片部１２ｋと中間テープ１８とが分離し、中間テープ１８は粘着層２０を介して上部シート１４に粘着された状態のまま上部シート１４側に残る。そのために、テープ付き袋１０は、接着層１６を介して接着された舌片部１２ｋと中間テープ１８とを剥離するのに必要な力が、粘着層２０を介して粘着された中間テープ１８と上部シート１４とを剥離するのに必要な力よりも小さくなるように、構成する。
【００３５】
図２（ｄ）は、接着層１６と中間テープ１８との界面における接着強度が接着層１６と舌片部１２ｋとの界面での接着強度よりも低い場合であり、この場合には、接着層１６と中間テープ１８との界面において剥離が生じ、接着層１６が舌片部１２ｋに接着した状態で開封される。
【００３６】
図２（ｅ）は、接着層１６と中間テープ１８との界面における接着強度が接着層１６と舌片部１２ｋとの界面での接着強度よりも高い場合であり、接着層１６と舌片部１２ｋとの界面で剥離が生じ、接着層１６は舌片部１２ｋから分離され、中間テープ１８の上にそのまま残る。
【００３７】
接着層１６と中間テープ１８との界面における接着強度が接着層１６と舌片部１２ｋとの界面での接着強度と等しい場合には、図示していないが、接着層１６は、舌片部１２ｋに接着している部分と中間テープ１８に接着している部分との両方に分かれる。
【００３８】
いずれの場合においても、開封後のテープ付き袋１０は、粘着層２０が上部シート１４と中間テープ１８との間に配置されたままであるため、粘着層２０は外部に露出しない。一方、接着層１６は外部に露出するが、露出している接着層１６は粘着性を有しない。
【００３９】
そのため、開封後のテープ付き袋１０から内容物を取り出す際に内容物が粘着層２０に粘り付いたり、テープ付き袋１０の開封後に指や他の物が粘着層２０に粘り付いたりすることはない。
【００４０】
また、開封後に舌片部１２ｋを上部シート１４に重ねても、貼り付けることができない。そのため、開封後に再び封をすることができなくなるので、例えば商品の包装に用いる場合には、未開封の新品であることを確実に保証することができる。
【００４１】
さらに、開封後に外部に露出する接着層１６によって文字や図形が表されるようにすれば、開封済みであること等を表示することができる。例えば、「開封済」、「ＰＡＴ．Ｐ」などの文字部分を除いて文字部分の周囲に接着層１６を形成し、中開封後に接着層１６により反転された文字が現れるようにする。
【００４２】
開封するときに、接着層１６を介して接着された中間テープ１８と舌片部１２ｋとが剥離し、粘着層２０を介して粘着された中間テープ１８と上部シート１４とが剥離しないようにすることをより確実にするため、図１（ｃ）の要部拡大断面図に示すように、接着層１６と粘着層２０は、開口１１から直角方向の先端位置１６ｘ，２０ｘをずらし、差δを設け、粘着層２０の先端位置２０ｘの方が、接着層１６の先端位置１６ｘよりも、開口１１から遠くなるようにすることが好ましい。
【００４３】
次に、袋１０の製造例について、図３の模式図を参照しながら説明する。
【００４４】
シート５０をロールから巻き出し、不図示の三角板を用いて折り線５３で折り曲げ、下部５２に上部５４を重ねる。シート５０には、例えば、ＯＰＰシートを用いる。
【００４５】
次いで、予め片面に熱硬化性接着剤が印刷された中間テープ６２をロール６４から巻き出し、下部５２に重ねた後、加熱部６６で加熱して、中間テープ６２を下部５２に接着する。例えば、予めＰＥＴ樹脂の中間テープ６２上に、ＯＰＰシートのパートコートに用いられる感熱性の接着剤、例えばアクリル系の熱硬化性樹脂がグラビア印刷され、所定幅に切断されたロール６４を用いる。このとき、中間テープ６２上に、熱硬化性接着剤を用いて文字や図形を印刷してもよい。あるいは、通常のインクを用いて文字や図形の印刷を追加してもよい。例えば、「この袋は、開封すると粘着が残りません」などの文字を印刷する。特にシート１２に透明材料を用いると、図２（ｃ）のように封をしている状態で、中間テープ１８の接着層１６側の面に印刷された文字や図形が見えるようにすることができる。中間テープ６２上には、適宜な態様で熱硬化性接着剤を印刷すればよい。例えば、開封開始時に適度な抵抗感があり、かつ、開封開始後は円滑に開封できるように、熱硬化性接着剤の印刷ドットの分布や印刷ドットの大きさ等を場所によって変えるようにしてもよい。
【００４６】
次いで、中間テープ６２の上に粘着のり７２を塗布して粘着層を形成し、その上に、ロール８４から巻き出した剥離テープ８２を重ねる。粘着のり７２は、ノズル７０から中間テープ６２上に直接塗布しても、ローラ等を介して転写してもよい。
【００４７】
例えば、ホットメルトをローラを介して転写する。このとき、角片２号（Ａ４）程度の大きさ袋の場合、図１（ｃ）に示したように、接着層１６と粘着層２０の先端位置１６ｘ，２０ｘの差δは、１ｍｍ程度設ける。
【００４８】
次いで、シート５０の搬送方向を横切るように、溶断部９０で溶断を行い、一つずつのテープ付き袋１０に分割するとともに、上部シート１４の側辺１４ａ，１４ｂを下部シート１２の側辺１２ａ，１２ｂとを接合する。
【００４９】
テープ付き袋１０は、通常のテープ付き袋を製造する工程に、中間テープ６２を接着する工程６０を追加するだけで製造することができ、既存の設備を用いて製造することができる。  
【００５０】
＜実施例２＞  実施例２のテープ付き袋１０ａについて、図４及び図５を参照しながら説明する。図４（ａ）は、テープ付き袋１０ａの平面図である。図４（ｂ）は、図４（ａ）の線Ｂ−Ｂに沿って切断した断面図である。図４（ｃ）は、図４（ｂ）の要部拡大断面図である。図５は使用方法を示す断面図である。
【００５１】
実施例２のテープ付き袋１０ａは、実施例１と略同様に構成されている。以下では、実施例１と同じ構成部分には同じ符号を用い、実施例１との相違点を中心に説明する。
【００５２】
図４（ａ）及び（ｂ）に示すように、テープ付き袋１０ａは、実施例１と異なり、接着層１６、中間テープ１８、粘着層２０及び剥離テープ２２が上部シート１４に設けられている。
【００５３】
使用時には、図５（ａ）に示すように粘着層２０に粘着されている剥離テープ２２を剥がし、図５（ｂ）に示すように粘着層２０を露出させ、図５（ｃ）に示すように、舌片部１２ｋを折り曲げて粘着層２０に重ねて粘着し、封をする。
【００５４】
開封時には、舌片部１２ｋの先端１２ｘ側を上部シート１４から剥がし、開口１１を露出させる。
【００５５】
このとき、接着層１６を介して接着された舌片部１２ｋと中間テープ１８とが分離し、中間テープ１８は粘着層２０を介して上部シート１４に粘着された状態のまま上部シート１４側に残るようにするために、テープ付き袋１０は、接着層１６を介して接着された舌片部１２ｋと中間テープ１８とを剥離するのに必要な力が、粘着層２０を介して粘着された中間テープ１８と上部シート１４とを剥離するのに必要な力よりも小さくなるように、構成する。
【００５６】
特に、接着層１６と中間テープ１８との界面における接着強度が接着層１６と舌片部１２ｋとの界面での接着強度よりも低い場合には、図２（ｄ）に示すように、接着層１６と中間テープ１８との界面において剥離が生じ、接着層１６が舌片部１２ｋに接着した状態で開封される。
【００５７】
一方、接着層１６と中間テープ１８との界面における接着強度が接着層１６と舌片部１２ｋとの界面での接着強度よりも高い場合には、図５（ｅ）に示すように、接着層１６と舌片部１２ｋとの界面で剥離が生じ、接着層１６は舌片部１２ｋから分離され、中間テープ１８の上にそのまま残る。
【００５８】
また、接着層１６と中間テープ１８との界面における接着強度が接着層１６と舌片部１２ｋとの界面での接着強度と等しい場合には、図示していないが、接着層１６は、舌片部１２ｋに接着している部分と中間テープ１８に接着している部分との両方に分かれる。
【００５９】
いずれの場合においても、開封後のテープ付き袋１０は、粘着層２０が上部シート１４と中間テープ１８との間に配置されたままであるため、粘着層２０は外部に露出しない。一方、接着層１６は外部に露出するが、露出している接着層１６は粘着性を有しない。
【００６０】
そのため、開封後のテープ付き袋１０から内容物を取り出す際に内容物が粘着層２０に粘り付いたり、テープ付き袋１０の開封後に指や他の物が粘着層２０に粘り付いたりすることはない。
【００６１】
また、開封後に舌片部１２ｋを上部シート１４に重ねても、貼り付けることができない。そのため、開封後に再び封をすることができなくなるので、例えば商品の包装に用いる場合には、未開封の新品であることを確実に保証することができる。
【００６２】
さらに、開封後に外部に露出する接着層１６によって文字や図形が表されるようにすれば、開封済みであること等を表示することができる。例えば、「開封済」、「ＰＡＴ．Ｐ」などの文字部分を除いて文字部分の周囲に接着層１６を形成し、中開封後に接着層１６により反転された文字が現れるようにする。
【００６３】
開封するときに、接着層１６を介して接着された中間テープ１８と舌片部１２ｋとが剥離し、粘着層２０を介して粘着された中間テープ１８と上部シート１４とが剥離しないようにすることをより確実にするため、図４（ｃ）の要部拡大断面図に示すように、接着層１６と粘着層２０は、開口１１から直角方向の先端位置１６ｘ，２０ｘをずらし、差δを設け、粘着層２０の先端位置２０ｘの方が、接着層１６の先端位置１６ｘよりも、開口１１から遠くなるようにすることが好ましい。
【００６４】
テープ付き袋１０ａは、実施例１と同様に製造することができる。
【００６５】
＜まとめ＞  以上に説明したように、テープ付き袋は、開封したとき、粘着層２０が中間テープ１８で覆われている。
【００６６】
そのため、外部に露出しない。そのため、テープ付き袋１０から内容物を取り出す際に内容物が粘着層２０に粘り付いたり、指や他の物が粘着層２０に粘り付いたりすることはない。
【００６７】
また、開封後に舌片部１２ｋを上部シート１４に重ねても、貼り付けることができない。そのため、開封後に再び封をすることができなくなるので、例えば商品の包装に用いる場合には、未開封の新品であることを確実に保証することができる。
【００６８】
さらに、開封後に外部に露出する接着層１６によって文字や図形が表されるようにすれば、開封済みであること等を表示することができる。
【００６９】
なお、本発明は、上記した実施の形態に限定されるものではなく、種々変更を加えて実施することが可能である。
【００７０】
例えば、上部シート１４や下部シート１２、中間テープ１８、接着層１６、粘着層２０は、実施例に例示したもの以外を用いても、例示した製造方法と異なる方法で製造してもよい。上部シート１４及び下部シート１２にＰＥＴシートを用い、接着層としてＰＥＴシートに感熱性接着剤をパートコートし、中間テープ１８としてＯＰＰ等を用いてもよく、この場合には、接着層のパートコートと同時に、ＰＥＴシートに印刷を行うことができる。また、シートを折り曲げて上部シート１４及び下部シート１２を形成する代わりに、上部シート１４と下部シート１２とに別々のシートを用い、接合して袋形状に形成してもよい。テープ付き袋の形状は、三方シール袋形状に限らず、任意の形状とすることができる。上部シート１４や下部シート１２、中間テープ１８には、所望の可撓性を有する材料を選択すればよく、薄くて可撓性が高いシート（「フィルム」とも呼ばれている。）を用いてもよい。また、接着層や粘着層に対して所望の剥離強度となるように、コーティングや表面処理を施したシートを適宜に選択することができる。
【図面の簡単な説明】
【００７１】
【図１】テープ付き袋の（ａ）平面図、（ｂ）断面図、（ｃ）要部拡大断面図である。（実施例１）
【図２】テープ付き袋の使用手順を示す断面図である。（実施例１）
【図３】テープ付き袋の製造工程を模式的に示す断面図である。（実施例１）
【図４】テープ付き袋の（ａ）平面図、（ｂ）断面図、（ｃ）要部拡大断面図である。（実施例２）
【図５】テープ付き袋の使用手順を示す断面図である。（実施例２）
【符号の説明】
【００７２】
１０，１０ａ  テープ付き袋
１２  下部シート（第２部材）
１３  折り曲げ部
１４  上部シート（第１部材）
１５  開口
１６  接着層
１８  中間テープ
２０  粘着層
２２  剥離テープ
【図１】
2008273559.tif 000003
【図２】
2008273559.tif 000004
【図３】
2008273559.tif 000005
【図４】
2008273559.tif 000006
【図５】
2008273559.tif 000007